(57)【要約】      （修正有）【課題】マスター機器に一回に接続できる限度台数を超えた複数のスレーブ機器に対し、マスター機器の必要数を抑える方法を提供する。【解決手段】マスター機器にペアリングされたスレーブ機器の台数が一台のマスター機器に同時接続できるスレーブ機器の台数を超えた場合、スレーブ機器を複数のグループに分け、スレーブ機器の各グループと順次に接続を実行し、接続対象グループのスレーブ機器と全て接続し、情報交換を行った後、又は、一定時間経過後に、次のスレーブ機器グループへの接続実行に切り替える。【選択図】図１
2018157530.tif 000002
【特許請求の範囲】
【請求項１】
ブルートゥースのマスター機器にペアリングされたスレーブ機器の台数が一台のマスター機器に同時接続できるスレーブ機器の台数を超えた場合、スレーブ機器を複数のグループに分け、各グループのスレーブ機器の台数を一台のマスター機器に同時接続できるスレーブ機器の台数以下にし、マスター機器から各スレーブ機器に接続する時は、スレーブ機器の各グループと順次に接続を実行し、接続対象グループのスレーブ機器と全て接続し、情報交換を行った後、又は、一定時間経過後に、次のスレーブ機器グループへの接続実行に切り替えるカールセルブルートゥース通信手段を備えることを特徴とする通信システム。
【請求項２】
上記請求項１のブルートゥースのマスター機器がスレーブ機器と接続をする時、スレーブ機器の各グループと順次に接続をし、一定時間経過後に次のスレーブ機器グループへの接続実行に切り替えるまで、接続できなかったスレーブの機器の個体情報をマスター機器に記録されたペアリング情報を元に、スレーブ機器がマスター機器に同時接続できる機器の台数を超えない一時的な接続失敗スレーブ機器グループを生成し、マスター機器がスレーブ機器各グループとの接続を切り替えるポイント、又は、スレーブ機器全グループとの接続実行を終えてから、マスター機器は生成された各一時的な接続失敗スレーブ機器グループに再度接続を実行するカールセルブルートゥース通信手段を備えることを特徴とする通信システム。
【発明の詳細な説明】
【技術分野】
【０００１】本発明は、ブルートゥースのマスター機器に一回に接続できる機器台数を超えた複数のブルートゥースのスレーブ機器をマスター機器に接続させる技術に関するものである。
【背景技術】
【０００２】ブルートゥースのマスター機器とスレーブ機器との接続は、マルチペアリング技術にて、マスター機器とスレーブ機器をペアリングさせ、その後、マスター機器とスレーブ機器は実行したペアリング情報に基づき、接続すれば使用できる。【０００３】一台のブルートゥースのマスター機器に対し、同時接続できるスレーブ機器の台数に限度がある。【０００４】ブルートゥースのマスター機器と同時接続するスレーブ機器の台数が一台のマスター機器に同時接続できる限度台数に達した場合は、接続されたマスター機器と各スレーブ機器との接続が切断されない限り、他のスレーブ機器は当該マスター機器に接続できない。【０００５】少ない情報量をマスター機器からスレーブ機器に伝達したり、マスター機器がスレーブ機器から当該機器の状態を得たりするような短時間な接続しか必要とない場合でも、ブルートゥースのマスター機器に同時接続できるスレーブ機器の台数を越えたスレーブ機器が存在すれば、複数のマスター機器が必要となる。【０００６】
【発明の展示】
【発明が解決しようとする課題】
【０００７】本発明の目的は、少ない情報量をマスター機器からスレーブ機器に伝達したり、マスター機器がスレーブ機器から当該機器の状態を得たりするような短時間な接続しか必要とないブルートゥース接続に於いて、ブルートゥースのマスター機器に一回に接続できる限度台数を超えた複数のブルートゥースのスレーブ機器に対し、ブルートゥースのマスター機器の必要数を抑える方法を提供することである。
【課題を解決するための手段】
【０００８】本発明では上記課題を解決するため、下記のようなシステム構成を採用する。
【０００９】マルチペアリングにて、ブルートゥースの各スレーブ機器をマスター機器とペアリングさせる。
【００１０】マスター機器にペアリングされたスレーブ機器の台数が一台のマスター機器に同時接続できるスレーブ機器の台数を超えた場合、スレーブ機器を複数のグループに分け、各グループのスレーブ機器の台数を一台のマスター機器に同時接続できるスレーブ機器の台数以下とする。
【００１１】マスター機器から各スレーブ機器に接続する時は、スレーブ機器の各グループと順次に接続を実行し、接続対象グループのスレーブ機器と全て接続し、情報交換を行った後、又は、一定時間経過後に、次のスレーブ機器グループへの接続実行に切り替えるカールセルブルートゥース通信方式を採用する。
【００１２】ブルートゥースのマスター機器がスレーブ機器と接続をする時、スレーブ機器の各グループと順次に接続をし、一定時間経過後に次のスレーブ機器グループへの接続実行に切り替えるまで、接続できなかったスレーブの機器の個体情報をマスター機器に記録されたペアリング情報を元に、スレーブ機器がマスター機器に同時接続できる機器の台数を超えない一時的な接続失敗スレーブ機器グループを生成する。
【００１３】マスター機器がスレーブ機器各グループとの接続を切り替えるポイント、又は、スレーブ機器全グループとの接続実行を終えてから、マスター機器は生成された各一時的な接続失敗スレーブ機器グループに再度接続を実行するカールセルブルートゥース通信方式を採用する。
【発明の効果】
【００１４】本発明は上記のようなカールセルブルートゥース通信方式を採用することにより、少ない情報量をマスター機器からスレーブ機器に伝達したり、マスター機器がスレーブ機器から当該機器の状態を得たりするような短時間な接続しか必要とないブルートゥース接続に於いて、ブルートゥースのマスター機器に一回に接続できる制限台数を超えた複数のブルートゥースのされるスレーブ機器を複数のグループに分け、各グループと順次に接続し、情報伝達してから、又は一定時間経過後に、次のスレーブ機器グループへの接続に切り替えるカールセル方式を採用したことにより、ブルートゥースのマスター機器に一回に接続できる制限台数を超えた台数のスレーブ機器があっても、少ないマスター機器で効率よく接続できるので、ブルートゥースのマスター機器の必要数を抑えることができるようになった。
【発明を実施するための形態】
【００１５】以下に本発明の実施の形態について、図面を参照して説明する。
【００１６】図１に、１台のマスター機器にて、複数のスレーブ機器との接続を例にする本発明の構成図を示す。
【００１７】マルチペアリングにて、各スレーブ機器をマスター機器２とペアリングさせる。
【００１８】従来１台のマスター機器と同時に接続できるスレーブ機器の台数は最大８台のため、各グループのスレーブ機器の台数が８台以下になるように複数のグループに分ける。グループ分けされた各スレーブ機器のペアリング情報１はマスター機器２に記録される。
【００１９】マスター機器２から各スレーブ機器４に接続する時に、グループ情報１に基づき、マスター機器２がスレーブ機器各グループと順次に接続を実行し、接続対象グループの各スレーブ機器と接続し、情報交換を完了した後、又は、設定された時間が経過後に、次のスレーブ機器グループへの接続実行に切り替え、接続をし、情報交換を行う。
【００２０】マスター機器２はスレーブ機器グループ情報１を元に、各スレーブ機器４と接続をする時に、一定時間経過後に次のスレーブ機器グループへの接続実行に切り替えるまで、接続できなかったスレーブの機器の個体情報をマスター機器２に記録されたペアリング情報１を元に、スレーブ機器がマスター機器に同時接続できる機器の台数を超えない一時的な接続失敗スレーブ機器グループ３を生成する。
【００２１】マスター機器２がスレーブ機器各グループとの接続を切り替えるポイント、又は、スレーブ機器全グループ１との接続実行が完了してから、生成された各一時的な接続失敗スレーブ機器グループ情報３に基づき、各対象スレーブ機器４にある対象スレーブ機器と再度接続を実行する。
【００２２】接続失敗による一時的なグループ分けと再接続は、全てのスレーブ機器と接続が成功するまでか、或いは、規定回数に達するまで繰り返す。
【図面の簡単な説明】
【００２３】
【図１】本発明のシステムを示す構成図である。
【符号の説明】
【００２４】１  ブルートゥースマスター機器に記録されたグループ分けられた各スレーブ機器とのペアリング情報
２  ブルートゥースマスター機器
３  ブルートゥースマスター機器に生成、記録された接続失敗した各スレーブ機器の一時的なグループ各スレーブ機器とのペアリング情報
４  ブルートゥースマスター機器とペアリング済みの各ブルートゥーススレーブ機器
【図１】
2018157530.tif 000003